(57)【要約】【課題】  発光波長の異なる第一の光源と第二の光源を有し、夫々の光源に対応した第一の光学系と第二の光学系において、信号品位の劣化を低減しつつ、受光手段を削減し、装置の小型化を実現することを目的とする。【解決手段】  発光波長の異なる第一の光源と第二の光源を有し、該光源から出射した光束を記録媒体に導き、また、記録媒体からの反射光を夫々の光源に対応した第一の受光素子と第二の受光素子に導くための第一の光学系と第二の光学系とを備える情報記録再生装置であって、第一の光源から出射した光束を、第二の受光素子に導くための分離光学素子と、第二の受光素子の出力に基づいて、第一の光源の光量を制御する。【選択図】  図１
2009116982.tif 000002
【特許請求の範囲】
【請求項１】
発光波長の異なる第一の光源と第二の光源と、
前記夫々の光源から出射した光束を記録媒体に導き、また、前記記録媒体からの反射光を夫々の光源に対応した第一の受光素子と第二の受光素子に導くための第一の光学系と第二の光学系とを備える情報記録再生装置において、
前記第一の光源から出射した光束を、前記第二の受光素子に導くための第一の分離光学素子と、
前記第二の受光素子の出力に基づいて、前記第一の光源の光量を制御するための制御手段を有することを特徴とする情報記録再生装置。
【請求項２】
前記第二の光源から出射した光束を、前記第一の受光素子に導くための第二の分離光学素子を有し、前記第一の受光素子の出力に基づいて、前記第二の光源の光量を制御するための制御手段を有することを特徴とする請求項１に記載の情報記録再生装置。
【請求項３】
前記第一の受光素子が前記記録媒体からの反射光を受光している時と、前記第二の光源の光量を制御するために用いられている時とで、前記第一の受光素子の出力ゲインを切換えるゲイン切換え手段を有することを特徴とする請求項２に記載の情報記録再生装置。
【請求項４】
前記第一の分離光学素子は、波長依存性を有するダイクロ偏光ビームスプリッタであることを特徴とする請求項２または３に記載の情報記録再生装置。
【請求項５】
前記第二の分離光学素子から前記第一の受光素子の間には、波長依存性を有する光学素子が配置されていることを特徴とする請求項２または３に記載の情報記録再生装置。
【請求項６】
前記光学素子には、ダイクロイック膜が形成されていることを特徴とする請求項５に記載の情報記録再生装置。
【請求項７】
前記第一の受光素子の光入射側の表面にはダイクロイック膜が形成されていることを特徴とする請求項２または３に記載の情報記録再生装置。
【発明の詳細な説明】
【技術分野】
【０００１】
本発明は、例えばＣＤ、ＤＶＤ、Ｂｌｕ−ｒａｙ  Ｄｉｓｃといった光ディスクを用いた情報記録再生装置に関するものである。
【背景技術】
【０００２】
現在、光ディスクを用いた情報記録再生装置においては、赤色レーザーを用いたＤＶＤが主流となっている。さらに近年では、青色レーザーを用いたＢｌｕ−ｒａｙ  Ｄｉｓｃ等によって、従来のＤＶＤと比べて記録再生情報の高密度化が実現されている。
【０００３】
このため、例えばＤＶＤとＢｌｕ−ｒａｙ  Ｄｉｓｃといった光源の異なる２つの光ディスクを記録再生可能な情報記録再生装置が要求されている。このような要求に対する技術が特開２００６−７９７８１号公報に示されている。
【０００４】
図４に従来例１として、特開２００６−７９７７８１号公報の例を示す。光ピックアップ６は、第一の光学系として、第１の発光素子２０、カップリングレンズ２１、第１の反射ミラー２２、第１の回折素子２３、第１のビームスプリッター２４がある。更に、第１のコリメーターレンズ２５、第２のビームスプリッター２６、第３のビームスプリッター２７、第１の対物レンズ１６、シリンドリカルレンズ２８、ホログラム素子２９、第１の受光素子３０及び第１のモニター用受光素子３１を備えている。
【０００５】
また、第二の光学系として、第２の発光素子３２、１／２波長板３３、第４のビームスプリッター３４、第２の回折素子３５、第５のビームスプリッター３６がある。更に、第２の反射ミラー３７、第２のコリメーターレンズ３８、立ち上げミラー３９、第２の対物レンズ１７、マルチレンズ４０、第２の受光素子４１、第３のコリメーターレンズ４２及び第２のモニター用受光素子４３を備えている。
【０００６】
以上のように構成された光ピックアップ６において、第１の発光素子２０から約６５０ｎｍの波長を有するレーザー光が発光されると、レーザー光はカップリングレンズ２１によって往路における光学倍率の変換が行われる。そして、第１の反射ミラー２２で反射されて第１の回折素子２３によって回折されて主光束と副光束に分離される。分離されたレーザー光は第１のビームスプリッター２４を透過され、第１のコリメーターレンズ２５によって平行光束とされて第２のビームスプリッター２６に入射される。第２のビームスプリッター２６に入射されたレーザー光は、一部を除いて透過され、第３のビームスプリッター２７で反射されて立ち上げられ第１の対物レンズ１６によって光ディスクの記録面に照射される。
【０００７】
光ディスクの記録面に照射されたレーザー光は、該記録面で反射されて戻り光として再び第１の対物レンズ１６、第３のビームスプリッター２７、第２のビームスプリッター２６及び第１のコリメーターレンズ２５を介して第１のビームスプリッター２４に入射される。レーザー光は第１のビームスプリッター２４で反射されてシリンドリカルレンズ２８によってビーム形状が整形され、ホログラム素子２９を介して第１の受光素子３０に入射される。第１の受光素子３０に戻り光が入射されると、ＲＦ信号等の各信号が検出され情報信号の記録又は再生が行われる。
【０００８】
このとき第１の発光素子２０から発光され第２のビームスプリッター２６に入射されたレーザー光の一部は、第２のビームスプリッター２６で反射されて第１のモニター用受光素子３１で受光され、第１の発光素子２０から発光されるレーザー光の光強度が略一定となるように制御される。
【０００９】
一方、第２の発光素子３２から約４０５ｎｍの波長を有するレーザー光が発光されると、レーザー光は１／２波長板３３によって偏光面が回転されて一部を除いて第４のビームスプリッター３４で反射され、第２の回折素子３５によって回折されて主光束と副光束に分離される。分離されたレーザー光は第５のビームスプリッター３６で反射され、第２の反射ミラー３７で反射され第２のコリメーターレンズ３８によって平行光束とされて第２のビームスプリッター２６に入射される。第２のビームスプリッター２６に入射されたレーザー光は、反射されて第３のビームスプリッター２７を透過され、立ち上げミラー３９によって立ち上げられて第２の対物レンズ１７によって光ディスクの記録面に照射される。
【００１０】
光ディスクの記録面に照射されたレーザー光は、該記録面で反射されて戻り光として再び第２の対物レンズ１７、立ち上げミラー３９及び第３のビームスプリッター２７を介して第５のビームスプリッター３６に入射される。レーザー光は第５のビームスプリッター３６を透過されてマルチレンズ４０によって復路における光学倍率の変換とビーム整形が行われ第２の受光素子４１に入射される。第２の受光素子４１に戻り光が入射されると、ＲＦ信号等の各信号が検出され情報信号の記録又は再生が行われる。
【００１１】
このとき第２の発光素子３２から発光され第４のビームスプリッター３４に入射されたレーザー光の一部は、第４のビームスプリッター３４を透過されて第３のコリメーターレンズ４２を介して第２のモニター用受光素子４３で受光される。そして、第２の発光素子３２から発光されるレーザー光の光強度が略一定となるように制御される。
以上のような構成によって、２つの光源に対応した光学系を実現している。
【００１２】
さらに、近年は情報記録再生装置の外形においては、ノートパソコンやビデオカメラといった使用形態に適応可能な装置の小型化が求められている。このためサーボ／ＲＦセンサを各光源で共通化することで部品点数を削減する技術が特開２００４−１３３９８７号公報に示されている。
【００１３】
図５に従来例２として、特開２００４−１３３９８７号公報の例を示す。１０１は波長λ１の略直線偏光を出射する第１の光源、１０２は波長λ２の略直線偏光を出射する第２の光源である（λ１＜λ２）。第１の光源１０１は第１のビームスプリッター１０５にＳ偏光として入射するように配置されている。第１のビームスプリッター１０５においては、Ｓ偏光で入射した波長λ１の光の大部分は反射する。一部の透過した光は第１の光源パワー検出器１１３に入射し電流あるいは電圧変換され、パワー制御回路１１７に入力され、第１の光源１０１の駆動電流制御用信号として用いられる。第１のビームスプリッター１０５を反射した光はコリメートレンズ１０７により略平行光となり、ミラー１０８を反射し、ホログラム１０９を透過し、さらに１／４波長板１１０を透過し略円偏光に変換され、集光レンズ１１１によって第１の情報記録媒体１１２に集光される。ここで、ホログラム１１０は第１の光源１０１側から入射する波長λ１の光（往路光）については回折作用をせず、第１の情報記録媒体１１２側から入射する波長λ１の光（復路光）については回折作用を行う偏光ホログラムとする。これにより、第１の光源１０１から第１の情報記録媒体１１２へ光を導くことができる。第１の情報記録媒体１１２で反射された光は、逆の光路をたどって第１のビームスプリッター１０５に到達するが、１／４波長板１１０を透過した際にＰ偏光に変換されているため、第１のビームスプリッター１０５を略全透過し、第２のビームスプリッター１０６に入射する。
【００１４】
第２のビームスプリッター１０６においては、波長λ１の光は略全透過する。第２のビームスプリッター１０６を透過した光は光学素子１１５を経て信号検出器１１６に入射する。信号検出器１１６に入射した光は信号検出器内の光検出器でフォーカス、トラッキング、ＲＦ等各種信号の検出が行われる。
【００１５】
一方、第２の光源１０２は第２のビームスプリッター１０６にＰ、Ｓ偏光両方の成分が含まれるように光軸中心に角度ψだけ回転された状態で配置されている。第２のビームスプリッター１０６は、Ｓ偏光で入射した波長λ２の光は略全反射するが、Ｐ偏光成分の光は透過して第２の光源パワー検出器１１４に入射する。この光は電流あるいは電圧変換され、パワー制御回路１１７に入力され、第２の光源１０２の駆動電流制御用信号として用いられる。第２のビームスプリッター１０６を反射した光は第１のビームスプリッター１０５を透過し、コリメートレンズ１０７により略平行光となり、ミラー１０８を反射し、ホログラム１０９、１／４波長板１１０を透過し、集光レンズ１１１によって第２の情報記録媒体１１８に集光される。
【００１６】
本構成においては、例えば、ホログラム１０９として波長選択性を有するものを用いることによりλ２の波長の光に対しては回折作用をしない構成が可能となり、第２の光源１０２からの光を第２の情報記録媒体１１８へ導くことができる。第２の情報記録媒体１１８で反射された光は、逆の光路をたどって第２のビームスプリッター１０６に到達するが、１／４波長板１１０を透過した際にＰ偏光成分が発生しているため、Ｐ偏光成分の光は第２のビームスプリッター１０６を透過し光学素子１１５を経て信号検出器１１６に入射する。信号検出器１１６に入射した光は信号検出器内の光検出器でフォーカス、トラッキング、ＲＦ等各種信号の検出が行われる。
【特許文献１】特開２００６−０７９７８１号公報
【特許文献２】特開２００４−１３３９８７号公報
【発明の開示】
【発明が解決しようとする課題】
【００１７】
しかしながら上記従来例では以下のような問題点があった。
従来例１については、各々の光源に応じて２個、計４個の受光素子が必要となり、部品点数が増加する。また、受光素子の増加に伴い配線が増加するため、配線が形成されたＦＰＣの面積の大型化や、ＦＰＣが電気的に接続される電気基板のコネクタ数が増加する。これらの要因によって、装置が大型化するという課題がある。
【００１８】
従来例２については、以下に詳述する課題がある。
サーボ／ＲＦセンサは一般的にサーボ信号を演算するために受光面は分割されている。このため、サーボ／ＲＦセンサに入射する光軸に対して受光面は高い位置精度が要求されている。
【００１９】
しかし、従来例のようにサーボ／ＲＦセンサを各々の光源で共通にした場合、以下の問題が生じる。
【００２０】
第一の光源に対応した光軸に受光面の位置調整をすると、第二の光源に対しては、例えば第二の光源の位置ズレといった第二の光源に対応した光学素子の組立精度によって、光軸と受光面のズレが生じてしまう。これにより、第二の光源におけるサーボ信号の品位が劣化する。
【００２１】
また、第一の光源に対応した光軸に受光面を調整した後、第二の光源を動かすことで第二の光源の光軸と受光面を位置調整する手法がある。しかしながら、この手法の場合、以下の問題が生じる。一般的に、対物レンズに入射する光束の強度分布の中心と光軸がずれていると、例えばトラッキングなどで対物レンズが光ディスクのラジアル方向に移動した際に、光量が大きく変動し、信号品位が劣化してしまう。このため、光源を光軸に垂直な軸中心で回転調整することで、対物レンズに入射する光束の強度分布の中心と光軸を一致させる調整手法が用いられている。しかし、上述したように、第二の光源を動かすことで、サーボ／ＲＦセンサに入射する光軸と、受光面の位置調整をする場合、上記光源の回転調整を実施することは極めて困難である。これは、受光面の位置調整をする際は対物レンズ出射光の反射光が必要であることに対し、強度分布を観測するためには対物レンズの出射光をモニタする必要があるためである。また、その他として、例えば平行光束中に平板を挿入し、その角度を傾けることで、強度分布の中心を調整する方法がある。しかしながら、該手法では部品数が増加するという問題点がある。
【００２２】
また、部品のバラツキなどで、少しでも平行光束から外れた発散、または、収束光束中で平板を傾けると、非点収差が発生し信号品位が悪化してしまう。以上のように従来例２では信号品位の劣化が生じるという課題がある。
【００２３】
本発明は上記課題に鑑み、発光波長の異なる第一の光源と第二の光源を有し、夫々の光源に対応した第一の光学系と第二の光学系において、信号品位の劣化を低減しながら、部品点数を削減することで小型化を実現する情報記録再生装置を提供することを目的とする。
【課題を解決するための手段】
【００２４】
上記課題を解決するために、発光波長の異なる第一の光源と第二の光源と、
該光源から出射した光束を記録媒体に導き、また、前記記録媒体からの反射光を夫々の光源に対応した第一の受光素子と第二の受光素子に導くための第一の光学系と第二の光学系とを備える情報記録再生装置において、
前記第一の光源から出射した光束を、前記第二の受光素子に導くための分離光学素子と、
前記第二の受光素子の出力に基づいて、前記第一の光源の光量を制御するための制御手段を有することを特徴とする情報記録再生装置を提供する。
【発明の効果】
【００２５】
本発明の構成によれば、発光波長の異なる第一の光源と第二の光源を有し、第一の光学系と第二の光学系において、信号品位の劣化を招くことなく受光手段を削減することが可能となり、装置の小型化が実現される。
【発明を実施するための最良の形態】
【００２６】
以下、本発明の実施の形態について図面を参照して詳細に説明する。
【００２７】
（実施例）
図１に本発明の情報記録再生装置である光ディスク装置の概略構成を示す。
１は光記録媒体である光ディスク、２は光ディスク１を搭載し回転するスピンドルモータ、３２はスピンドルモータ２を回転駆動するスピンドルモータドライバである。
【００２８】
本実施例においては、光ディスク１は例えばＤＶＤや、Ｂｌｕ−ｒａｙといったように各々の光源に応じて異なるものを用いる。
３４は光ディスク１に情報を記録再生する光ピックアップである。
ここで、光ディスク装置に搭載された光ピックアップ３４は、第一の光学系と第二の光学系とを備えている。
【００２９】
まず、第一の光学系として、第一の光源である青色半導体レーザー４を用いた場合について説明する。
【００３０】
第一の光源である青色半導体レーザー４から発散光として出射された光束は、第一の分離光学素子である第一のダイクロ偏光ビームスプリッター（以下ダイクロＰＢＳ）５に入射し、反射光と透過光に分離される。第一のダイクロＰＢＳ５で反射された光束は第二の分離光学素子である第二のダイクロＰＢＳ１９と、第二のセンサレンズ２１を透過し、受光センサである第二の受光素子２２に入射する。これにより、青色半導体レーザー４の出力制御を行うためのモニタ出力信号が生成される。なお、ここでダイクロＰＢＳは波長依存性を有している。
【００３１】
一方、第一のダイクロＰＢＳ５を透過した光束は、ダイクロビームスプリッタ６を透過し、コリメータ７によって略平行光とされる。コリメータ７を透過した光束は、コマ収差、球面収差補正手段である液晶素子８と、液晶素子８に固着された１／４波長板９を介して、偏向ミラーユニット１２に差し向けられる。
【００３２】
液晶素子８は有効径内の領域毎に屈折率差を発生させることでコマ収差、および球面収差を発生させ、光ディスク１と対物レンズの傾きによるコマ収差と、光ディスク１の基板厚誤差による球面収差を相殺している。なお、液晶素子を用いた収差補正の技術に関しては公知であるため説明は省略する。
【００３３】
偏向ミラーユニット１２に入射した光束は、偏向ミラーユニット１２のダイクロ膜１０を透過した後、反射膜１１によって光ディスク１のディスク面と垂直に反射され、対物レンズアクチュエータ１３に設けられた第一の対物レンズ１４に入射する。なお、対物レンズアクチュエータ１３は一般的なワイヤ支持方式であり、その構成は公知であるため説明は省略する。
【００３４】
第一の対物レンズ１４に入射した光束は、光ディスク１の情報記録層（図示せず）に結像され、情報の記録が行われる。
【００３５】
また、光ディスク１で反射された光束は、第一の対物レンズ１４で集光され、ダイクロビームスプリッタ６を透過し、第一のダイクロＰＢＳ５で反射される。第一のダイクロＰＢＳ５にて反射された光束は、第一のセンサレンズ１６を介して、受光センサである第一の受光素子１７に入射する。これにより、情報信号（ＲＦ）の再生、及び、フォーカシング、トラッキング各々のサーボエラー信号の生成が行われる。なお、サーボ方法については公知の方法（例えばフォーカシングサーボ：非点収差法、トラッキングサーボ：プッシュプル法など）のため、説明は省略する。
【００３６】
次に、第二の光学系として、第一の光源とは発光波長の異なる第二の光源を用いた場合について説明する。なお、ここでは第二の光源は、赤色半導体レーザー１８を用いる。
【００３７】
第二の光源である赤色半導体レーザー１８から発散光として出射された光束は、第二の分離光学素子である第二のダイクロＰＢＳ１９に入射し、反射光と透過光に分離される。第二のダイクロＰＢＳ１９で反射された光束は第一の分離光学素子である第一のダイクロＰＢＳ５、第一のセンサレンズ１６を透過し、第一の受光素子１７に入射し、赤色半導体レーザー１８の出力制御を行うためのモニタ出力信号が生成される。
【００３８】
一方、第二のダイクロＰＢＳ１９を透過した光束は、偏向ミラー２０を介してダイクロビームスプリッタ６で反射され、コリメータ７によって略平行光とされる。コリメータ７を透過した光束は、液晶素子８と１／４波長板９を介して、偏向ミラーユニット１２に差し向けられる。
【００３９】
赤色半導体レーザー１８を用いる場合は、液晶素子９はコマ収差のみを補正するよう制御されている。
【００４０】
偏向ミラーユニット１２に入射した光束は、偏向ミラーユニット１２のダイクロ膜１０によって光ディスク１のディスク面と垂直に反射され、対物レンズアクチュエータ１３に設けられた第二の対物レンズ１５に入射する。第二の対物レンズ１５に入射した光束は、光ディスク１の情報記録層（図示せず）に結像され、情報の記録が行われる。
【００４１】
また、光ディスク１で反射された光束は、第二の対物レンズ１５で集光され、ダイクロビームスプリッタ６で反射され、第二のダイクロＰＢＳ１９で反射される。第二のダイクロＰＢＳ１９にて反射された光束は、第二のセンサレンズ２１を介して、第二の受光素子２２に入射する。これにより、情報信号の再生、及び、フォーカシング、トラッキング各々のサーボエラー信号の生成が行われる。なお、サーボ方法については公知の方法（例えばフォーカシングサーボ：非点収差法、トラッキングサーボ：プッシュプル法など）のため、説明は省略する。
【００４２】
３１は対物レンズアクチュエータ１３のフォーカシング方向、及び、トラッキング方向の駆動等を制御する対物レンズアクチュエータドライバである。
【００４３】
２７は、光ピックアップ３４の青色半導体レーザー４や、赤色半導体レーザー１８、液晶素子９等を制御する光ピックアップドライバである。２８は光ディスク１の種類（例えばＢｌｕ−ｒａｙ  ＤｉｓｃとＤＶＤ）に応じて青色半導体レーザー４と、赤色半導体レーザー１８を切換える光源切換え手段である。２５は第一の受光素子１７が光ディスク１からの反射光を受光している場合と、赤色半導体レーザー１８の光量制御のために出射光を受光している場合とで、出力ゲインを切換えるためのゲイン切換え手段である。
【００４４】
２３は光ピックアップ３を光ディスク１の半径方向に移送するためのシークモータ、２４はシークモータを制御するシークモータドライバである。
【００４５】
３０は光ピックアップ３４に設けられた各センサからの出力信号の処理等を行いサーボ／ＲＦ処理を行う信号処理手段である。
【００４６】
３５は、第一の受光素子１７と第二の受光素子２２の出力の何れから、「サーボエラー信号とＲＦ信号の生成」と、「光源の出力制御用信号の生成」を行うかを、使用される光源に応じて切換えるモード切換え手段である。なお、本実施例では「サーボエラー信号とＲＦ信号の生成」を行う場合を「サーボ／ＲＦ生成モード」、「光源の出力制御用信号の生成」を行う場合を「モニタ出力生成モード」とする。
【００４７】
２９は信号処理手段３０に基づいた各ドライバの制御といった、光ディスク装置３３の統括制御を行い、各シーケンス制御の中枢を担うためＣＰＵ、メモリ等から構成されたコントローラである。
以上の構成要素によって、光ディスク装置３３は構成されている。
【００４８】
次に、光ディスク装置３３の動作について詳述する。
コントローラ２９によって、スピンドルモータドライバ３２、対物レンズアクチュエータドライバ３１、光ピックアップドライバ２７、シークモータドライバ２４が統括制御され、スピンドルモータドライバ３２の駆動により、スピンドルモータ２が所望の回転数で回転する。これにより、スピンドルモータ２に搭載された光ディスク１も一体となって回転する。
【００４９】
また、シークモータドライバ２４によってステッピングモータであるシークモータ２３が駆動され、光ディスク１の半径方向の任意の位置に光ピックアップ３４が移送される。光ピックアップドライバ２７によって、青色半導体レーザー４、または赤色半導体レーザー１８からのレーザー光が制御される。また、第一の対物レンズ１４、または第二の対物レンズ１５を、光ディスク１の情報記録層に配されたトラックに追従させるため、対物レンズアクチュエータ１３への駆動電流が、対物レンズアクチュエータドライバ３１によって、先述したサーボエラー信号に基づいて制御される。
【００５０】
以下に本発明の特徴となる部分を説明する。
表１は本実施例において示した光学系の設計例を示したものである。なお以下は本発明に関する箇所の値のみ示している。
【００５１】
【表１】
2009116982.tif 000003
【００５２】
なお、表１の往路のダイクロＰＢＳ透過率とは、各々の光学系において、各々の光源より出射した光束を基準とした場合に、前記光束がダイクロＰＢＳを透過する割合であり、残りの光束が光源の出力制御用として反射される。また、往路の光学効率とは、各々の光源から出射した光束を基準とした場合に、各々の対物レンズから出射される光束の割合である。
【００５３】
また、復路の光学効率とは、各々の記録媒体から反射された光束を基準とした場合に、各々の対物レンズを介して各々の受光素子に入射する光束の割合である。
【００５４】
以下の表２に本実施例の受光素子の波長に対する感度の割合を示す。なお、本実施例では説明の簡略化のため、第一の受光素子１７と、第二の受光素子２２の感度は同一の波長依存性を有しているものとする。
【００５５】
【表２】
2009116982.tif 000004
【００５６】
以下の表３に本実施例における光ディスク１の反射率を例示する。なお、本実施例では、光ディスク１の仕様は、単層の情報記録層を有する場合と、二層の情報記録層を有する場合の２種類にとし、各々について例示する。
【００５７】
【表３】
2009116982.tif 000005
【００５８】
また、以下の表４に、本実施例における各々の光ディスクの再生に適した対物レンズの出射光量を示す。
【００５９】
【表４】
2009116982.tif 000006
【００６０】
なお、本実施例においては、各々の光ディスクへの記録に最適となる対物レンズの出射光量は、表４に示した再生に最適となる対物レンズの出射光量の１０倍とする。
【００６１】
また、ダイクロＰＢＳから反射された光束が、各々の光源の出力制御用の受光素子に至るまでの透過率は、説明の簡略化のために第一の光学系、第二の光学系ともに１００％とする。
【００６２】
また、本実施例の第一の受光素子１７と、第二の受光素子２２のセンサパターンを図２に示す。本実施例においては第一の受光素子１７、第二の受光素子２２、双方とも４分割のパターンとし、光源の出力制御には、４箇所全てのパターンに入射した光束の光量の総和（Ａ＋Ｂ＋Ｃ＋Ｄ）を用いる。
【００６３】
以上から、「ＲＦおよび／またはサーボ信号の検出に用いる場合（ＲＦ／サーボ検出時）」と「光源の出力制御に用いる場合（光源の出力制御時）」における各受光素子の出力は以下の式で算出される。
【００６４】
ＲＦ／サーボ検出時
単層の光ディスク  ｃ×ｄ×ｅ×ｇ        （１）
二層の光ディスク  ｃ×ｄ×ｆ×ｈ        （２）
【００６５】
【数１】
2009116982.tif 000007
【００６６】
以上より得られた各受光素子の出力を、各受光素子における「単層の光ディスクのＲＦ／サーボ検出時」を基準とした割合として表５に示す。
【００６７】
【表５】
2009116982.tif 000008
【００６８】
表５に示したように、第一の受光素子１７は、ＲＦ／サーボ検出時と、光源の出力制御時に約９倍の出力比が発生している。一般的には受光素子の出力の比率が１０倍以内であれば、同一ゲインで使用することが可能である。しかし、本実施例では、光源の出力制御時に先述したゲイン切換え手段２５によって、第一の受光素子１７の出力ゲインを１／１０に切換えることで、第一の受光素子１７の飽和に対するマージンを増加させる。本実施例では第二の受光素子２２はゲイン切換えを行わない。
【００６９】
なお、一般的に記録時と再生時においては必要となる光量は１０倍以上の差がある。このため、各受光素子は記録時と再生時にはゲインを切換えて用いるが、該ゲイン切換えは公知の技術のため、本実施例では説明を省略する。
【００７０】
また、例えばＤＶＤ−Ｒ、ＤＶＤ−ＲＷといった同一波長の光源に対して反射率が大きくことなる記録媒体を用いる場合も、上記受光素子のゲイン切換えは行われているが、同様に説明は省略する。
【００７１】
図３は本実施例における光ディスク装置３３の動作フローチャートである。
【００７２】
まず、装置の電源ＯＮ、あるいは光ディスク１が挿入されると（Ｓ２０１）、コントローラ２９は例えば任意の波長の半導体レーザーによる光ディスクからの反射光量を用いるといった公知の手法によりディスク種類の判別を行う（Ｓ２０２）。その結果、第一の光源である青色半導体レーザー用ディスクと判別された場合には、信号処理手段３０は、モード切換え手段３５によって、第一の受光素子１７の出力処理部を「サーボ／ＲＦ生成モード」に、第二の受光素子２２の出力処理部を「モニタ出力生成モード」に切換える（Ｓ２０３）。次にゲイン切換え手段２５によって、第一の受光素子１７を第一の出力ゲイン（１倍）に切換える（Ｓ２０４）。その後、青色半導体レーザー４を点灯（Ｓ２０５）し、記録または再生動作を実行する（Ｓ２０６）。記録または再生動作が終了すると、青色半導体レーザー４をＯＦＦし（Ｓ２０７）、装置の電源ＯＦＦ、または光ディスク１を排出して（Ｓ２１３）処理を終了する。
【００７３】
一方、ディスク種類判別（Ｓ２０２）において赤色半導体レーザー用ディスクと判別された場合には、次のような処理を行う。すなわち、信号処理手段３０は、モード切換え手段３５によって、第一の受光素子１７の出力処理部を「モニタ出力生成モード」にし、第二の受光素子２２の出力処理部を「サーボ／ＲＦ生成モード」に切換える（Ｓ２０８）。次にゲイン切換え手段２５によって、第一の受光素子１７を第二の出力ゲイン（０．１倍）に切換える（Ｓ２０９）。その後、赤色半導体レーザー１８を点灯（Ｓ２１０）し、記録または再生動作を実行する（Ｓ２１１）。記録または再生動作が終了すると、赤色半導体レーザー１８をＯＦＦし（Ｓ２１２）、装置の電源ＯＦＦ、または光ディスク１を排出して（Ｓ２１３）処理を終了する。
【００７４】
以上から、本発明によれば、従来例１と比較し受光素子を削減することが可能となり、装置の小型化が実現される。
【００７５】
また、受光素子をサーボ／ＲＦ検出と、光源の出力制御に兼用するため、信号伝達のための配線を削減することも可能である。このため、電気基板のコネクタ数や、配線が形成されたＦＰＣの面積を削減することが可能であり、装置の小型化が実現される。
【００７６】
また、本発明の構成によれば、往路、復路ともに各々の光学系を介した光束を用いて、各々の受光素子の位置調整が可能である。このため、従来例２と比較し信号品位の劣化を低減することが可能である。
【００７７】
なお、本発明は本実施例の構成にのみ限定されるものではない。
【００７８】
例えば、光源の出力制御時に、図２に示した受光面パターンの任意のパターンのみ（例えばＡのみ、または、Ａ＋Ｂ等）用いることも可能である。また、その他図示しない受光面パターンを用いた場合（例えば一般的なＤＰＰ方式のパターン）にも本発明の効果を得ることは可能である。
【００７９】
また、例えば、赤色半導体レーザー１８の出射光に対する第一のダイクロＰＢＳ５の透過率を１／１０に減ずることで、表５に示した第一の受光素子１７における、ＲＦ／サーボ検出時と、光源の出力制御時の出力比を約１：１にすることが可能である。これにより、ゲイン切換え２５が不要となり、ゲイン切換え用のセンサ回路、ＦＰＣ配線の削減が実現される。
【００８０】
また、第一のダイクロＰＢＳ１９から第一の受光素子１７までの間のいずれかに、ダイクロイック膜など波長依存性のある光学フィルターを形成した光学素子（例えば、ガラスや樹脂で構成された平板）を配置する。これにより、赤色半導体レーザー１８の出射光に対する透過率を１／１０にしても良い。また、このとき、先述したダイクロイック膜を形成した光学素子に代わって、光学素子となる材料そのものに波長依存性のある、すなわち特定の波長の光を吸収する材料（例えば、ＣｄＳなどの半導体粒子）を混ぜても良い。
【００８１】
また、ダイクロイック膜を形成した光学素子共に、光学素子となる材料そのものに先述した特定の波長の光を吸収する材料（例えば、ＣｄＳなどの半導体粒子）を混ぜても良い。
【００８２】
また，第一のセンサレンズ１６のレンズ面にダイクロイック膜を形成することで，赤色半導体レーザー１８の出射光に対する透過率を１／１０にしても良い。
【００８３】
また，一般的に受光素子の受光面を保護するために受光面上に形成されるガラスや樹脂のカバーの表面に，ダイクロイック膜を形成することも可能である。具体的には第一の受光素子１７のカバー表面にダイクロイック膜を形成することで，赤色半導体レーザー１８の出射光に対する透過率を１／１０にしても良い。
【００８４】
これにより、ＲＦ／サーボ検出時と、光源の出力制御時の出力比を約１：１にすることが可能である。
【００８５】
また、受光素子１７の感度の波長依存性を表６に示す値に変更することで、表５に示した第一の受光素子１７における、ＲＦ／サーボ検出時と、光源の出力制御時の出力比を約１：１にすることが可能である。なお、第一の受光素子１７の感度の波長依存性を変更するためには、光電変換を行う材料自体の波長依存性を利用したり，第一の受光素子１７の光入射側にダイクロイック膜を形成することによって達成できる。
【００８６】
なお，上述したダイクロイック膜を形成した光学素子や，カバーにダイクロイック膜を形成した第一の受光素子１７などの例は組み合わせて用いることも可能である。
【００８７】
【表６】
2009116982.tif 000009
【００８８】
これにより、ゲイン切換え２５が不要となり、ゲイン切換え用のセンサ回路、ＦＰＣ配線の削減が実現される。
【００８９】
また、例えば偏向ミラー２０を廃し、光学系を共用することなく、各々の対物レンズまで光路を形成することも可能である。
【００９０】
また、本実施例と比較し部品削減の効果は下がるが、例えば赤色半導体レーザー１８を用いる場合は本発明を用い、青色半導体レーザー４を用いる場合は別の光源出力制御用の受光素子を設けることも可能である。
【００９１】
また、二層以上の多層記録媒体においても、本発明の効果を得ることは可能である。例えば多層により、反射率が著しく減ずる場合などは、ゲイン切換え手段による切換え数を増やしたり、第二の受光素子２２にもゲイン切換え手段を設けることで、対応可能である。
【００９２】
以上のように、本発明により発光波長の異なる第一の光源と第二の光源を有し、夫々の光源に対応した第一の光学系と第二の光学系において、信号品位の劣化を低減しながら、受光手段の部品点数を削減することで小型化を実現する。
【図面の簡単な説明】
【００９３】
【図１】本発明の実施例における光ディスク装置の概略を示す図である。
【図２】本発明の実施例における受光素子のパターンの概略を示す図である。
【図３】本発明の実施例における光ディスク装置の動作フローチャートである。
【図４】第一の従来例の光学系の概略を示す図である。
【図５】第二の従来例の光学系の概略を示す図である。
【符号の説明】
【００９４】
１  光ディスク
４  青色半導体レーザー
５  第一のダイクロＰＢＳ
６  ダイクロビームスプリッタ
７  コリメータ
８  液晶素子
９  １／４波長板
１０  ダイクロ膜
１１  反射膜
１２  偏向ミラーユニット
１３  対物レンズアクチュエータ
１４  第一の対物レンズ
１５  第二の対物レンズ
１６  第一のセンサレンズ
１７  第一の受光素子
１８  赤色半導体レーザー
１９  第二のダイクロＰＢＳ
２０  偏向ミラー
２１  第二のセンサレンズ
２２  第二の受光素子
２５  ゲイン切換え手段
２７  光ピックアップドライバ
２８  光源切換え手段
２９  コントローラ
３０  信号処理手段
３２  スピンドルモータドライバ
３３  光ディスク装置
３４  光ピックアップ
３５  モード切換え手段
【図１】
2009116982.tif 000010
【図２】
2009116982.tif 000011
【図３】
2009116982.tif 000012
【図４】
2009116982.tif 000013
【図５】
2009116982.tif 000014